(57)【要約】【課題】  印刷装置側の設定のみで高度な保安に対応したプリンタシステムを容易に導入することができる印刷装置を提供することを目的とする。【解決手段】  印刷装置は、外部装置から印刷データを受信する通信手段、前記印刷データを受信した通信手段を識別する識別手段、印刷に関する保安設定を前記通信手段に関連付けて設定する保安設定手段、前記識別された通信手段に対する前記保安設定が有効かどうか判断する保安判定手段と、前記保安判定手段の判定結果に従って、前記印刷データの印刷を実行するか否かを制御する制御手段を含む。【選択図】  図１
2006218714.tif 000002
【特許請求の範囲】
【請求項１】
外部装置から印刷データを受信する通信手段、
前記印刷データを受信した通信手段を識別する識別手段、
印刷に関する保安設定を前記通信手段に関連付けて設定する保安設定手段、
前記識別された通信手段に対する前記保安設定が有効かどうか判断する保安判定手段、
前記保安判定手段の判定結果に従って、前記印刷データの印刷を実行するか否かを制御する制御手段
を含む印刷装置。
【請求項２】
ユーザの身体的特徴に関する情報を認証情報として入力する保安情報入力手段
を更に含む請求項１記載の印刷装置。
【請求項３】
前記認証情報を前記通信手段を示す識別情報と関連づけて登録する認証データ登録手段を更に含む請求項２記載の印刷装置。
【請求項４】
前記制御手段は入力された認証情報と前記認証データ登録手段に登録された認証情報を比較し、両認証情報が一致していると判断したとき前記印刷データの印刷を実行させる請求項２又は３記載の印刷装置。
【請求項５】
保安判定手段が保安設定が無効であると判断したとき、前記制御手段は前記印刷データの印刷を実行させる請求項１記載の印刷装置。
【発明の詳細な説明】
【技術分野】
【０００１】
本発明は、ユ−ザ認証機能を利用可能な印刷装置に関するものである。
【背景技術】
【０００２】
近年、複数のユ−ザが存在する環境下での機密デ−タの保護のための技術が提案されている。出願人が知る既知の技術として、以下の文献がある。
【０００３】
特許文献１は、印刷ジョブを送信する際に印刷デ−タに指紋データを付加して送信し、認証サ−バにてプリンタから送信されてきた指紋データと一致した場合に、印刷を行う印刷システムを開示する。
【０００４】
特許文献２は、ユ−ザの身体的特徴とユ−ザＩＤやパスワ−ドなどを組み合わせてプリンタで認証を行う印刷システムを開示する。
特許文献３は、上位装置から受信した利用者ＩＤを利用して印字動作を行うプリンタ装置を開示する。
しかし、上記従来技術には、以下に示すような問題点があった。
【０００５】
第一に、印刷デ−タに認証用の情報（指紋、ユ−ザＩＤ、パスワ−ドなど）を添付し送信する、そのため、それらの情報入力に対応した専用のプリンタドライバ等が必要となり、ユ−ザが長年使い続けたシステムの変更が必要となる。
第二に、印刷デ−タに添付する認証用の情報の入力手段、特に指紋認証装置等のバイオ認証装置を各端末に設置する必要があるためシステムの導入コストが高価となる。
【０００６】
また、伝送経路などの安全性を判断してデータを送信する技術等を開示する文献として、以下の文献がある。
特許文献４は、画像形成装置まで伝送経路の安全性を判定するデータ転送システムを開示する。
特許文献５は、セキュア通信経路の存在を判断した後にセキュア経路が存在すれば印刷データを送信する印刷方法を開示する。
特許文献６は、乱数等で発生させた数値データを伝送路経由で予め印刷装置に送付し、同じ数値データを記憶した記憶媒体を使用することでセキュリティを確保する印刷システム開示する。
特許文献７は、ユーザが使用したいインターフェースと、外部機器が認識しているインターフェースとの不一致によるプリンタ装置の誤動作が防止可能なプリンタ装置システムを開示する。
【特許文献１】特開２００１−５１９１５号公報
【特許文献２】特開２００３−３０５９０５号公報
【特許文献３】特開平１１−１６５４４６号公報
【特許文献４】特開２００４−１５１４１号公報
【特許文献５】特開２００１−１５９９６０号公報
【特許文献６】特開２００３−３３０６７６号公報
【特許文献７】特開２００４−９６２８号公報
【発明の開示】
【発明が解決しようとする課題】
【０００７】
上記従来技術では、印刷装置側の設定のみで高度な保安に対応したプリンタシステムを容易に導入することができなかった。
本印刷装置によれば、印刷装置側の設定のみで高度なセキュリティに対応することを目的とする。
【課題を解決するための手段】
【０００８】
本発明は上記目的を達成するため、以下の構成を有する。すなわち、本発明は外部装置から印刷データを受信する通信手段、印刷データを受信した通信手段を識別する識別手段、印刷に関する保安設定を通信手段に関連付けて設定する保安設定手段、識別された通信手段に対する保安設定が有効かどうか判断する保安判定手段、保安判定手段の判定結果に従って、印刷データの印刷を実行するか否かを制御する制御手段を含む印刷装置である。
本発明によれば、印刷に関する保安設定を通信手段に関連付けて設定し、印刷データを受信した通信手段に対する保安設定が有効かどうか判断し、印刷データの印刷を実行するか否かを制御することができるので、印刷側のみで印刷に関する保安設定を設定できる。
【発明の効果】
【０００９】
本発明によれば、印刷装置側の設定のみで高度なセキュリティに対応することができる。
【発明を実施するための最良の形態】
【００１０】
以下、図面を参照して本発明に係る実施形態について説明する。実施形態の構成は例示であり、本発明は実施形態の構成に限定されない。尚、本発明は、ハ−ドウェア及びソフトウェアにより実施可能である。プログラムからなるソフトウェアにより実行させる場合には、そのソフトウェアを構成するプログラムをコンピュ−タ等のハ−ドウェアにインスト−ルすることで、各種の機能を実現できる。また、プログラムは、通信回線を通じてまたはコンピュ−タ読み取り可能な記憶媒体（記録媒体）を使用してコンピュ−タ等へインスト−ルされる。
【００１１】
ここで、コンピュ−タ読み取り可能な記憶媒体とは、デ−タやプログラム 等の情報を電
気的、磁気的、光学的、機械的、または化学的作用によって蓄積し、コンピュ−タから読み取ることができる記憶媒体をいう。このような記憶媒体のうちコンピュ−タから取り外し可能なものとしては、例えばフレキシブルディスク、光磁気ディスク、ＣＤ−ＲＯＭ、ＣＤ−Ｒ／Ｗ、ＤＶＤ、ＤＡＴ、８ｍｍテ−プ、メモリカ−ド等がある。また、コンピュ−タに固定された記憶媒体としてハ−ドディスクやＲＯＭ（リ−ドオンリ−メモリ）等がある。
【００１２】
図１は、本実施形態のネットワ−クプリンタを含むプリンタセキュリティシステム（保安システム）の全体構成を示す説明図である。図１において、２３、２４、２５、２６、２７はそれぞれクライアント装置を示し、２２は印刷装置（ネットワ−クプリンタ）を示す。また、ネットワ−ク２１は企業内などのロ−カルＬＡＮなどのネットワークを示す。
【００１３】
印刷装置２２は、ＬＡＮ／ＵＳＢ／パラレル（ＩＥＥＥ１２８４準拠）の３つの物理インタフェ−スを備えている（本発明の「通信手段」に相当）。そして、印刷装置２２は、ＵＳＢインタフェ−スでクライアント装置２５と、パラレルインタフェ−スでクライアント装置２６と物理的に１対１でケーブル等で接続されている。
【００１４】
また、印刷装置２２は、ＬＡＮインタ−フェ−スにてクライアント装置２３、２７とネットワーク２１を介して物理的に接続されている。ネットワ−ク２１はインタ−ネットに接続されており、クライアント２４はインタ−ネットを経由して印刷装置２２に接続されている。
【００１５】
図２は、本実施形態における印刷装置２２の構成例を示す説明図である。印刷装置２２はプリンタコントロ−ラ部１０１とプリンタエンジン部１０２より構成される。
プリンタコントロ−ラ部１０１は、各種演算を行うＣＰＵ（central processing unit
）１０３、ＲＡＭ（random access memory）１０４、フラッシュＲＯＭ（read only memory）１０５、ネットワーク２１と接続するためのネットワ−クＩ／Ｆ部１０６、周辺制御ＬＳＩ１０７、ユ−ザ操作パネル１０８、プリンタエンジンコントロ−ラ部１０９、ＵＳＢ  Ｉ／Ｆ部 １１０ 、パラレルＩ／Ｆ部１１１、指紋認証装置１１２等より構成され
る。指紋認証装置１１２はインターフェースを介してプリンタコントローラ部１０１へ接続するように構成してもよい。
【００１６】
図３は本実施形態におけるユ−ザ操作パネルの表示構成例を示す説明図である。ユ−ザ操作パネル１０８は、ＬＣＤ（liquid crystal display）と４つのＬＥＤ（light-emitting diode）、８つのスイッチより構成される。本実施形態において、ＬＣＤは、図４に示すように日本語で１行１６文字の２段で文字で情報を表示する。
【００１７】
印刷装置２２は、フラッシュＲＯＭ１０５に格納されているプリンタファ−ムウェアをＣＰＵ１０３によりＲＡＭ１０４に展開した後に、ＲＡＭ１０４上でプログラムを実行することによって制御される。
【００１８】
ＲＡＭ１０４は、プリンタを制御するプログラムを格納するプログラム記憶領域と印刷デ−タの格納を行なう作業記憶領域を含んでいる。
印刷装置２２は、ネットワ−クＩ／Ｆ部１０６を通じてネットワ−ク２１に、ＵＳＢ  Ｉ／Ｆ部１１０を通じてクライアント装置２５に、パラレルＩ／Ｆ部１１１を通じてクライアント２６にそれぞれ接続されている。
【００１９】
また、周辺制御ＬＳＩ１０７はユ−ザ操作パネル制御１０８やプリンタエンジンコントロ−ラ１０９を制御する。プリンタエンジンコントロ−ラ１０９はプリンタエンジン部１０２を制御する。また、指紋認証装置１１２（本発明の「保安情報入力手段」に相当）は、内部バスを経由してＣＰＵ１０３に接続されている。
【００２０】
図４は本実施形態におけるセキュリティ設定の登録手順を示す説明図である。各クライアント装置から印刷データを受信する前に、ユーザは、図４に示すようなセキュリティ設定メニュ−を表示し、印刷装置２２のユ−ザ操作パネル１０８を操作してあらかじめセキュリティ設定を行う（本発明の「保安設定手段」に相当）。
【００２１】
セキュリティ設定メニュ−は、図４に示すように、パラレル／ＵＳＢ／ＬＡＮの物理ポ−トごとにメニュ−を分け（左側メニュー）、各物理ポ−トごとにセキュリティの設定／解除が可能である。
【００２２】
図４の「セキュリティ設定」メニューにおいて、「パラレルポ−ト設定」メニュ−の「セキュリティモ−ド」メニュ−にて「セッテイ」を選択し、ユーザ操作パネル１０８の「設定」スイッチを押下するとセキュリティが有効となる（Ｓ１〜Ｓ３）。
【００２３】
セキュリティ設定を解除したい場合は、「セキュリティモ−ド」メニュ−にて「カイジョ」を選択し、「設定」スイッチを押下することによりセキュリティを解除できる（Ｓ４）。ここで、セキュリティ解除時に登録されているユ−ザの認証（指紋認証、暗証番号等）を要求し不正なユ−ザによるセキュリティ解除ができないようにしてもよい。
【００２４】
セキュリティ設定が解除されているポ−ト又はセキュリティ設定がされていないポ−ト（初期設定）へクライアント装置から印刷デ−タが送られてきた場合、プリンタは認証処理を行わず印刷を実行する。
【００２５】
ユ−ザ登録の例として、図４において、パラレルポ−トを使用するユ−ザが登録する場合、「パラレルポ−トセッテイ」メニュ−の「ユ−ザトウロク」メニュ−にて「設定」スイッチを押下するとユ−ザの指紋を登録する画面が表示される（Ｓ５〜Ｓ７）。
【００２６】
「トウロク  スル  ユビ  ヲ  オイテ  [セッテイ]  ジッコウ」メニュ−で「設定」スイッチを押下すると、指紋認証装置１１２からユ−ザの指紋データを読み取り、デジタルデ−タとしてプリンタのフラッシュＲＯＭ１０５に指紋データを保存する（Ｓ７）。ここで、本実施形態では記録媒体としてフラッシュＲＯＭ１０５を使用したが、プリンタにハ−ドディスクやその他の記録媒体が利用可能な場合は、それらの記録媒体に指紋データを記録してもよい。
【００２７】
ＵＳＢポ−トの場合、パラレルポートと同様の手順で、セキュリティ設定の「設定」及び「解除」及びユーザの指紋データの保存を実行する（Ｓ８〜Ｓ１４）。
ＬＡＮポ−トの場合、パラレルポートと同様の手順で、セキュリティ設定の「設定」及び「解除」を実行する（Ｓ１５〜Ｓ１８）。図４では「ユ−ザトウロク」メニュ−で「設定」スイッチを押下するとポ−ト番号の入力画面が表示される（Ｓ１９〜Ｓ２１）。ここで、ユ−ザ操作パネル１０８の各スイッチを操作し、利用するポ−ト番号を入力後、「設定」スイッチを押下すると、パラレル／ＵＳＢと同様にユ−ザの指紋データを登録する画面が表示される（Ｓ２２）。
【００２８】
また、利用するポ−ト番号を入力するためのテンキー（numeric keypad）をユ−ザ操作パネル１０８に設けてもよい。ここで、本実施形態では、ＬＡＮポ−トとしてポ−ト番号を入力する構成としているが、プロトコルを選択する画面を表示し、ユ−ザが選択する構成としてもよい。
【００２９】
以上の手順により、ＣＰＵ１０３は、図５に示す内容の管理情報（管理情報テーブル）として設定されたセキュリティ設定情報をフラッシュＲＯＭ１０５に保存する（本発明の「認証データ登録手段」に相当）。
ＣＰＵ１０３は、管理情報としてインタフェ−ス／プロトコル／ポ−ト番号ごとにセキュリティの有効/無効を示す設定情報と指紋デ−タを関連づけてフラッシュＲＯＭ１０５
に保存する。また、図５に示すように、一つのポート番号に複数の登録データを関連づけして保存できる。
【００３０】
ＣＰＵ１０３は保存された指紋のデジタルデ−タを登録データとして管理情報テーブル上で管理する。指紋のデジタルデ−タは、ファイルとして管理されるか、又はやデジタルデ−タ先頭アドレス、長さなどの情報として管理される。
【００３１】
図５の管理情報では、ＬＡＮインタフェ−ス、ＴＣＰ／ＩＰプロトコルを使用する場合、９１００ポ−トと９１０１ポ−トで別の管理情報となるためそれぞれ別のユ−ザを割り当てることが可能である。
【００３２】
また、実施形態では特にパラレル／ＵＳＢ／ＬＡＮインタフェ−スごとに、登録ユ−ザ数を制限しないため、パラレルポ−トに複数のユ−ザを登録したり、ＬＡＮの同じポ−ト番号に複数のユ−ザを割り当てることも可能であるが、各インタフェ−スごとの登録ユ−ザ数を制限するよう構成してもよい。
【００３３】
図６は本実施形態におけるセキュリティ設定がされた印刷装置２２の動作手順を示すフローチャートである。以下、クライアント装置２５から印刷データが印刷装置へＵＳＢインタフェ−スを通じて送信された場合の動作の詳細を説明する。
【００３４】
コンピュ−タ２５で文書や図形などの各種印刷デ−タが作成される（Ｓ３０）。印刷を実行する指示があったとき、コンピュータ２５はＵＳＢインタフェ−スを通じて印刷装置２２に印刷デ−タを送信する（Ｓ３１）。
【００３５】
印刷装置２２は、印刷デ−タを受信すると、印刷デ−タが送信されてきた通信手段の種類を識別しする（本発明の「識別手段」に相当）（Ｓ４０、Ｓ４１）。識別された通信手段（本発明の「通信手段」に相当）の種類に対応したセキュリティ設定が有効かどうかを管理情報テーブル上の情報を参照して判断する（本発明の「保安判定手段」に相当）。
【００３６】
図５の管理情報テーブルにおいて、ＵＳＢインタフェ−スのセキュリティ設定が「有効」であるため、指紋認証を促す表示を印刷装置２２のユ−ザ操作パネル１０８に表示する（Ｓ４３、Ｓ４４）。ここで、ＵＳＢインタフェ−スのセキュリティ設定が「無効」であるならば、印刷を実行する（Ｓ４５）。このように、ＣＰＵ１０３は、セキュリティ設定の判別結果に従って印刷データの印刷実行するか否かを制御する（本発明の「制御手段」に相当）。
【００３７】
次に、ユ−ザが指紋データの登録に使用した指を指紋認証装置１１２に置くまで待ち状態となる（Ｓ４６）。指が指紋認証装置１１２に置かれると、指紋デ−タが印刷装置２２に入力され、あらかじめ印刷装置２２内に登録しておいた登録デ−タ（Ｆｉｌｅ００１）と比較する（Ｓ４７）。
【００３８】
指紋の読取は、指紋認証装置１１２のスキャナ部に設けられた圧力センサーにより検知する構成や、指を置いた後に押す読取ボタンの押下げにより検知する構成などにより実行される。そして、入力された指紋データと登録データが同一である場合に印刷を実行する（Ｓ４８）。入力された指紋データと登録データが一致しない場合に印刷データを破棄する実行する（Ｓ４９）。
【００３９】
ここで、本発明では、インタフェ−ス/プロトコル/ポ−ト番号の組み合わせごとに指紋デ−タを関連付け認証を行う。つまり、ＣＰＵ１０３は、図５に示すNo.１、No.２、No.
３、No.４、No.５、No.６、No.７のそれぞれの設定を異なる通信手段（種類）と判断する。つまり、ＣＰＵ１０３は、物理的に同じインターフェースであっても、使用するプロトコルやポート番号が異なる設定のとき異なる種類の通信手段と判断する。
そして、それぞれの通信手段に関連付けられた登録データ（指紋デ−タ）を使用して認証を行い、同一である場合に印刷を実行し（Ｓ４８）、一致しない場合は印刷デ−タを破棄し印刷を実行しない（Ｓ４９）。
【００４０】
上述の本実施形態では印刷デ−タを破棄し印刷を行わない例で説明した。しかし、ユ−ザ操作パネル１０８の「リセット」スイッチを押下するまで再度指紋認証画面を表示したり、指紋認証を実行する規定回数をあらかじめ設定したりするようにしてもよい。
【００４１】
また、指紋認証に失敗しても規定回数までは再度指紋認証を要求する画面を表示し、規定回を超えて指紋認証に失敗した場合にはじめて印刷デ−タを破棄するように構成してもよい。尚、印刷デ−タを破棄した場合は、「インサツデータ  ガ  ハキ  サレマシオタ」と一時的にＬＣＤに表示するようにしてもよい。
【００４２】
本実施形態では、図１で印刷装置２２をネットワ−ク２１に直接接続される印刷装置２２として構成しているが、図７のようにクライアント装置３１をプリンタサ−バとして利用し、クライアント装置３１とプリンタ３２をパラレルケ−ブルでロ−カル接続する構成としてもよい。
【００４３】
この場合、クライアント装置３１に指紋認証装置３３を接続し、図１の印刷装置２２に実装していた指紋デ−タの登録、認証処理等を実行するプログラムをクライアント装置上のソフトウェアとして実現できる。
【００４４】
本発明の実施形態によれば、ユーザ認証機能を持つプリンタとコンピュータから構成されたセキュリティプリンタシステムにおいて、以下の特有の効果を提供できる。
（１）あらかじめ各通信手段をセキュリティ認証用のデータと関連付け、印刷データが送られてきた通信手段ごとに認証を印刷装置側で行うことにより、印刷データの中身に関係なく高度なセキュリティを実現することができる。これにより、各クライアント装置に専用のドライバ等が不要となるため、ユーザのシステムへ変更を最小限にできる。即ち、印刷装置２２を新たに設置するか、印刷装置２２に実装していた指紋デ−タの登録、認証処理等を実行するプログラムをクライアント装置３１にインストールすることにより実現可能である。
【００４５】
（２）ＵＳＢや、ＩＥＥＥ１２８４準拠パラレル等の物理インタフェースごとにコンピュータと印刷装置を物理的に１対１で接続するシステムにおいて、高度なセキュリティシステムを簡便に構築することが可能となる。
【００４６】
（３）ＬＡＮインターフェースによって複数のコンピュータと印刷装置がネットワークを経由して接続されている環境において、ＴＣＰ／ＩＰやＮｅｔＷａｒｅ等の通信プロトコルごとやＴＣＰ／ＩＰのポート番号ごとに認証データ（ユーザの身体的特徴に関するデータ、ユーザＩＤ、パスワード）を登録することが可能なため、ユーザのセキュリティ要望に柔軟に対応することが可能となる。
【００４７】
（４）セキュリティ認証手段において、ユーザＩＤ、パスワード、あるいはその両者の組み合わせを認証情報とすることにより印刷装置のコストアップなしにセキュリティシステムを構築することが可能となる。
【００４８】
（５）セキュリティ認証手段において、指紋、静脈、網膜、声紋等のユーザの身体的特徴をデジタルデータに変換し認証情報とすることにより高度な個人認証を行うセキュリティシステムの構築が可能となる。
【００４９】
（６）セキュリティ設定が無効な通信手段については認証を行わず自由に印刷が可能なため、セキュリティを必要とする印刷の実行とセキュリティが不要な印刷の実行をユーザが柔軟に使い分けることが可能となる。
【００５０】
＜その他＞
（付記１）
外部装置から印刷データを受信する通信手段、
前記印刷データを受信した通信手段を識別する識別手段、
印刷に関する保安設定を前記通信手段に関連付けて設定する保安設定手段、
前記識別された通信手段に対する前記保安設定が有効かどうか判断する保安判定手段、
前記保安判定手段の判定結果に従って、前記印刷データの印刷を実行するか否かを制御する制御手段
を含む印刷装置。
（付記２）
ユーザの身体的特徴に関する情報を認証情報として入力する保安情報入力手段
を更に含む付記１記載の印刷装置。
（付記３）
前記認証情報を前記通信手段を示す識別情報と関連づけて登録する認証データ登録手段
を更に含む付記２記載の印刷装置。
（付記４）
前記保安判定手段は保安設定が有効であると判断したとき、前記制御手段は前記保安情報入力手段からの認証情報の入力を要求する付記２記載の印刷装置。
（付記５）
前記制御手段は入力された認証情報と前記認証データ登録手段に登録された認証情報を比較し、両認証情報が一致していると判断したとき前記印刷データの印刷を実行させる付記２又は３記載の印刷装置。
（付記６）
前記制御手段は入力された認証情報と前記認証データ登録手段に登録された認証情報を比較し、認証情報が一致しないと判断したとき前記印刷データを破棄する付記２又は３記載の印刷装置。
（付記７）
保安判定手段が保安設定が無効であると判断したとき、前記制御手段は前記印刷データの印刷を実行させる付記１記載の印刷装置。
（付記８）
前記識別手段は、前記外部装置と前記印刷装置を物理的に１対１で接続するインターフェースを異なる通信手段と判断する付記１記載の印刷装置。
（付記９）
前記インターフェースはＵＳＢ（Ｕｎｉｖｅｒｓａｌ  Ｓｅｒｉａｌ  ＢＵＳ）又はＩＥＥＥ１２８４準拠パラレルのインターフェースである付記８記載の印刷装置。
（付記１０）
ＬＡＮインターフェースによって前記外部装置と前記印刷装置とがネットワークを経由して接続されている場合、前記識別手段は、通信プロトコルの種別ごとに異なる通信手段と判断する付記１記載の印刷装置。
（付記１１）
前記ＬＡＮインターフェースは１００ＢＡＳＥ−ＴＸ又は１０ＢＡＳＥ−ＴのＬＡＮインターフェースである付記１０記載の印刷装置。
（付記１２）
前記識別手段は、ＬＡＮインターフェースによって前記外部装置と前記印刷装置とがネットワークを経由して接続されている場合、ポート番号ごとに異なる通信手段と判断する付記１記載の印刷装置。
（付記１３）
前記保安情報入力手段は、ユーザＩＤ、パスワード、またはユーザＩＤ及びパスワードの組み合わせを認証情報として入力する付記２記載の印刷装置。
（付記１４）
前記保安情報入力手段は、指紋、静脈、網膜または声紋のユーザの身体的特徴をデジタルデータに変換する付記２記載の印刷装置。
（付記１５）
コンピュータに、
外部装置から印刷データを通信手段により受信する通信ステップ、
前記印刷データを受信した前記通信手段を識別する識別ステップ、
印刷に関する保安設定を前記通信手段に関連付けて設定する保安設定ステップ、
前記識別された通信手段に対する前記保安設定が有効かどうか判断する保安判定ステップ、
前記保安判定ステップの判定結果に従って、前記印刷データの印刷を実行するか否かを制御する制御ステップ
を実行させる印刷プログラム。
（付記１６）
ユーザの身体的特徴に関する情報を認証情報として入力する保安情報入力ステップ
を更に含む付記１５記載の印刷プログラム。
（付記１７）
前記認証情報を前記通信手段を示す識別情報と関連づけて登録する認証データ登録ステップ
を更に含む付記１６記載の印刷プログラム。
（付記１８）
前記保安判定ステップは保安設定が有効であると判断したとき、前記制御ステップは前記保安情報入力ステップによるの認証情報の入力を要求する付記１６記載の印刷プログラム。
（付記１９）
前記制御ステップは入力された認証情報と前記認証データ登録ステップで登録された認証情報を比較し、両認証情報が一致していると判断したとき前記印刷データの印刷を実行させる付記１６又は１７記載の印刷プログラム。
（付記２０）
前記制御ステップは入力された認証情報と前記認証データ登録ステップで登録された認証情報を比較し、認証情報が一致しないと判断したとき前記印刷データを破棄する付記１６又は１７記載の印刷プログラム。
（付記２１）
保安判定ステップが保安設定が無効であると判断したとき、前記制御ステップは前記印刷データの印刷を実行させる付記１５記載の印刷プログラム。
（付記２２）
前記保安情報入力ステップは、ユーザＩＤ、パスワード、またはユーザＩＤ及びパスワードの組み合わせを認証情報として入力する付記１６記載の印刷プログラム。
（付記２３）
前記保安情報入力手段は、指紋、静脈、網膜または声紋のユーザの身体的特徴をデジタルデータに変換する付記１６記載の印刷プログラム。
（付記２４）
外部装置から印刷データを通信手段により受信する通信ステップ、
前記印刷データを受信した前記通信手段を識別する識別ステップ、
印刷に関する保安設定を前記通信手段に関連付けて設定する保安設定ステップ、
前記識別された通信手段に対する前記保安設定が有効かどうか判断する保安判定ステップ、
前記保安判定ステップの判定結果に従って、前記印刷データの印刷を実行するか否かを制御する制御ステップ
を含む印刷方法。
（付記２５）
ユーザの身体的特徴に関する情報を認証情報として入力する保安情報入力ステップ
を更に含む付記２４記載の印刷方法。
（付記２６）
前記認証情報を前記通信手段を示す識別情報と関連づけて登録する認証データ登録ステップ
を更に含む付記２５記載の印刷方法。
（付記２７）
前記保安判定ステップは保安設定が有効であると判断したとき、前記制御ステップは前記保安情報入力ステップによるの認証情報の入力を要求する付記２５記載の印刷方法。
（付記２８）
前記制御ステップは入力された認証情報と前記認証データ登録ステップで登録された認証情報を比較し、両認証情報が一致していると判断したとき前記印刷データの印刷を実行させる付記２５又は２６記載の印刷方法。
（付記２９）
前記制御ステップは入力された認証情報と前記認証データ登録ステップで登録された認証情報を比較し、認証情報が一致しないと判断したとき前記印刷データを破棄する付記２５又は２６記載の印刷方法。
（付記３０）
保安判定ステップが保安設定が無効であると判断したとき、前記制御ステップは前記印刷データの印刷を実行させる付記２４記載の印刷方法。
（付記３１）
前記保安情報入力ステップは、ユーザＩＤ、パスワード、またはユーザＩＤ及びパスワードの組み合わせを認証情報として入力する付記２５記載の印刷方法。
（付記３２）
前記保安情報入力手段は、指紋、静脈、網膜または声紋のユーザの身体的特徴をデジタルデータに変換する付記２５記載の印刷方法。
【図面の簡単な説明】
【００５１】
【図１】本実施形態のネットワ−クプリンタを含むプリンタセキュリティシステムの全体構成を示す説明図である。
【図２】本実施形態における印刷装置の構成例を示す説明図である。
【図３】本実施形態におけるユ−ザ操作パネルの表示構成例を示す説明図である。
【図４】本実施形態におけるセキュリティ設定の登録手順を示す説明図である。
【図５】本実施形態における管理情報の一例を示す図である。
【図６】本実施形態におけるセキュリティ設定がされた印刷装置の動作手順を示すフローチャートである。
【図７】本実施形態におけるプリンタセキュリティシステムの別の構成例を示す図である。
【符号の説明】
【００５２】
２１…ネットワーク
２２…印刷装置
１０１…プリンタコントローラ部
１０２…プリンタエンジン部
１０３…ＣＰＵ
１０４…ＲＡＭ
１０５…フラッシュＲＯＭ
１０６…ネットワークＩ／Ｆ部
１０７…周辺制御ＬＳＩ
１０８…ユーザ操作パネル
１０９…プリンタエンジンコントローラ
１１０…ＵＳＢ  Ｉ／Ｆ部
１１１…パラレル  Ｉ／Ｆ部
１１２…指紋認証装置
【図１】
2006218714.tif 000003
【図２】
2006218714.tif 000004
【図３】
2006218714.tif 000005
【図４】
2006218714.tif 000006
【図５】
2006218714.tif 000007
【図６】
2006218714.tif 000008
【図７】
2006218714.tif 000009